(57)【要約】【課題】  ＩＣタグを有する被記録媒体を利用し、被記録媒体に印刷される画像内容に基づいて、被記録媒体を機密性の有無で区別するための情報を書込む画像処理装置及び情報書込装置を提供する。【解決手段】  ＰＣ６０から受信した印刷データに付加されている情報により、印刷データが機密画像であると判定された場合、レジストローラ２９から搬送されてくるＩＣペーパＷのＩＣタグ８０に対し、印刷される画像が機密画像であることを示す区別情報がＩＣタグリーダ／ライタ８１によって書込まれる。【選択図】          図７
2008219325.tif 000002
【特許請求の範囲】
【請求項１】
印刷データを受信する受信手段と、
前記受信手段によって受信される印刷データから機密情報を取得する取得手段と、
前記取得手段によって取得される機密情報を含む印刷データに基づき、ＩＣタグを有する被記録媒体に機密画像を印刷する印刷手段と、
印刷手段によって前記機密画像を印刷される前記被記録媒体のＩＣタグに、前記機密画像を印刷されない被記録媒体と区別するための区別情報を書込む書込手段と、
を備えたことを特徴とする画像処理装置。
【請求項２】
被記録媒体に印刷された画像から画情報を読取る読取手段と、
前記読取手段によって読取られる画情報から機密情報を取得する取得手段と、
前記取得手段によって取得される機密情報を含む画情報に基づき、ＩＣタグを有する被記録媒体に機密画像を印刷する印刷手段と、
印刷手段によって前記機密画像を印刷される前記被記録媒体のＩＣタグに、前記機密画像を印刷されない被記録媒体と区別するための区別情報を書込む書込手段と、
を備えたことを特徴とする画像処理装置。
【請求項３】
ＩＣタグを有する被記録媒体に印刷された画像から画情報を読取る読取手段と、
前記読取手段によって読取られる画情報から機密情報を取得する取得手段と、
前記取得手段によって機密情報が取得される被記録媒体を、前記取得手段によって機密情報が取得されない被記録媒体と区別するための区別情報を前記ＩＣタグに書込む書込手段と、
を備えたことを特徴とする情報書込装置。
【発明の詳細な説明】
【技術分野】
【０００１】
本発明は、被記録媒体が有するＩＣタグに情報を書込む書込手段を備えた画像処理装置及び情報書込装置に関する。
【背景技術】
【０００２】
今日、資源をリサイクルしたり、資源の浪費を抑えたりするなど、環境を守る意識が地球規模で高まってきており、資源を分別する処理が一般的になってきている。
【０００３】
レーザプリンタなどの画像処理装置においても、用紙等の被記録媒体を、被記録媒体の種類や被記録媒体の面積に対する印刷面積の割合等で分別する技術が開示されている（特許文献１）。
【０００４】
上記特許文献１に記載の画像処理装置では、情報を記憶可能なＩＣタグを有する被記録媒体を用いることにより、ＩＣタグから読取った情報に基づいて被記録媒体を分別することが開示されている。
【特許文献１】特開２００５−２５５３５８号公報
【発明の開示】
【発明が解決しようとする課題】
【０００５】
しかしながら、上記特許文献１において、被記録媒体に印刷される画像内容は考慮されることなく被記録媒体が分別されるので、例えば、良質紙として分別された被記録媒体の中に、機密情報が印刷された被記録媒体が混在する可能性があった。
【０００６】
そのため、良質紙として分別された機密文書が廃棄されずにリサイクルされ、機密情報が漏洩する可能性が高くなる問題があった。
【０００７】
本発明は、このような問題に鑑みなされたものであって、ＩＣタグを有する被記録媒体を利用し、被記録媒体に印刷される画像内容に基づいて、被記録媒体を機密性の有無で区別するための情報を書込む画像処理装置及び情報書込装置を提供することを目的とする。
【課題を解決するための手段】
【０００８】
前記目的を達成するために、請求項１に記載の画像処理装置では、印刷データを受信する受信手段と、受信手段によって受信される印刷データから機密情報を取得する取得手段と、取得手段によって取得される機密情報を含む印刷データに基づき、ＩＣタグを有する被記録媒体に機密画像を印刷する印刷手段と、印刷手段によって機密画像を印刷される被記録媒体のＩＣタグに、機密画像を印刷されない被記録媒体と区別するための区別情報を書込む書込手段と、を備えたことを特徴とする。
【０００９】
請求項２に記載の画像処理装置では、被記録媒体に印刷された画像から画情報を読取る読取手段と、読取手段によって読取られる画情報から機密情報を取得する取得手段と、取得手段によって取得される機密情報を含む画情報に基づき、ＩＣタグを有する被記録媒体に機密画像を印刷する印刷手段と、印刷手段によって機密画像を印刷される被記録媒体のＩＣタグに、機密画像を印刷されない被記録媒体と区別するための区別情報を書込む書込手段と、を備えたことを特徴とする。
【００１０】
請求項３に記載の情報書込装置では、ＩＣタグを有する被記録媒体に印刷された画像から画情報を読取る読取手段と、読取手段によって読取られる画情報から機密情報を取得す
る取得手段と、取得手段によって機密情報が取得される被記録媒体を、取得手段によって機密情報が取得されない被記録媒体と区別するための区別情報をＩＣタグに書込む書込手段と、を備えたことを特徴とする。
【発明の効果】
【００１１】
請求項１の画像処理装置によれば、ＩＣタグを有する被記録媒体を利用し、被記録媒体に印刷される画像内容に基づいて、被記録媒体を機密性の有無で区別するための情報を書込むことができる。
【００１２】
請求項２の画像処理装置によれば、ＩＣタグを有する被記録媒体を利用し、被記録媒体に印刷される画像内容に基づいて、被記録媒体を機密性の有無で区別するための情報を書込むことができる。
【００１３】
請求項３の情報書込装置によれば、ＩＣタグを有する被記録媒体を利用し、被記録媒体に印刷された画像内容に基づいて、被記録媒体を機密性の有無で区別するための情報を書込むことができる。
【発明を実施するための最良の形態】
【００１４】
＜第１実施形態＞
本発明の第１実施形態について、図面を参照して説明する。図１は、プリンタ１の外観を示す斜視図である。図２は、画像読取ユニット３を開放した状態のプリンタ１の外観を示す斜視図である。図３は、プリンタ１を給紙ローラ２５の軸方向から見た側断面図である。尚、以下の説明では、図１において、操作部６が設けられた面側（紙面右下方向）を「前方」、その反対側（紙面左上方向）を「後方」とし、図３において、紙面右側を「前方」、紙面左側を「後方」とする。
【００１５】
[プリンタ１の構成]
プリンタ１（本発明の「画像処理装置」の一例）は、給紙部２１及び画像形成部２２（本発明の「印刷手段」の一例）等を内蔵する画像形成ユニット２と、画像読取ユニット３（本発明の「情報書込装置」の一例）とを備えている。
【００１６】
画像形成ユニット２におけるＦＢ４（後述）の前方には、ユーザによる各種の操作が可能な操作部６及び各種設定の表示を行う液晶パネル等からなる表示部７２が設けられている。
【００１７】
操作部６の下側の位置には排紙トレイ２ａ（図３：後述）に連なって開口した用紙取出し口７が形成されている。用紙取出し口７の下側にはスリット状に開口した手差給紙口８が形成されている。手差給紙口８の下側には、給紙カセット９が設けられている。
【００１８】
（画像形成ユニット２の構成）
画像形成ユニット２には、後述するＩＣペーパＷ（本発明の「被記録媒体」の一例）を給紙するための給紙部２１や、給紙されたＩＣペーパＷに所定の画像を形成（印刷）するための画像形成部２２などが備えられている。また、画像形成部２２の上部には、画像形成部２２により画像形成され、排出されたＩＣペーパＷを保持するために用いられる排紙トレイ２ａが配されている。
【００１９】
（給紙部２１の構成）
給紙部２１は、給紙カセット９と、給紙カセット９内に設けられた揺動可能な用紙押圧板（図示せず）と、給紙カセット９の前端部上方に設けられる給紙ローラ２５などによって構成されている。
【００２０】
給紙カセット９は、画像形成ユニット２の下部に配され、プリンタ１の前方から着脱可能に設けられている。給紙カセット９には、用紙が収納されており、給紙カセット９に積載された用紙は、給紙ローラ２５によって１枚ずつ給紙され、レジストローラ２９に順次送られる。
【００２１】
本実施形態では、給紙カセット９内に、内部に情報が記憶されるとともに、図示しないアンテナにより電波の送受信が行われるＲＦＩＤ（Radio Frequency Identification）タグ（以下、「ＩＣタグ」と称す）８０が備えられたＩＣペーパＷが積載される。
【００２２】
ＩＣペーパＷは、例えば、図５に示すように、印刷の際に余白となる部分にＩＣタグ８０が埋め込まれている。ＩＣペーパＷは、通常の用紙と同様に印刷を行うことができる。尚、ＩＣタグ８０が埋め込まれる位置は、ＩＣペーパの四隅など、印刷に影響を及ぼさない位置であればよい。
【００２３】
レジストローラ２９は、１対のローラから構成されており、給紙ローラ２５の用紙搬送方向下流側に設けられている。レジストローラ２９は、給紙ローラ２５によって搬送されてきたＩＣペーパＷの斜行を修正し、画像形成部２２へＩＣペーパＷを送り出す。
【００２４】
（ＩＣリーダ／ライタ８１の構成）
ＩＣペーパＷが搬送される搬送経路Ｌにおいて、レジストローラ２９のＩＣペーパＷ搬送方向下流部には、ＩＣリーダ／ライタ８１（本発明の「書込手段」の一例）が設けられている。
【００２５】
ＩＣリーダ／ライタ８１は、図示しないアンテナから電波を発することにより、レジストローラ２９より搬送されてきたＩＣペーパＷのＩＣタグ８０と通信を行い、ＩＣタグ８０を識別する。ＩＣリーダ／ライタ８１は、識別されたＩＣタグ８０に適宜情報を書込む。
【００２６】
（画像形成部２２の構成）
画像形成部２２は、スキャナユニット４０、プロセスユニット４１、定着ユニット４２などを備えている。
【００２７】
図３に示すように、スキャナユニット４０は、画像形成ユニット２上部に設けられる。スキャナユニット４０は、レーザ発光部（図示せず）から発光される所定の画像データに基づくレーザビーム（図３の一点鎖線）を、後述するプロセスユニット４１における感光体ドラム５２の表面上に高速走査にて照射する。
【００２８】
プロセスユニット４１は、画像形成ユニット２の本体部に対して着脱可能に設けられている。
【００２９】
プロセスユニット４１は、ドラムカートリッジ５０と、現像カートリッジ５１とを備えている。
【００３０】
ドラムカートリッジ５０は、感光体ドラム５２、スコロトロン型帯電器５３、転写ローラ５４を備えている。また、現像カートリッジ５１は、現像ローラ５５およびトナーが充填されるトナーボックス５８などを備えている。
【００３１】
感光体ドラム５２の表面は、スコロトロン型帯電器５３により一様に正帯電される。正帯電した感光ドラム５２の表面は、スキャナユニット４０からのレーザビームの高速走査
により露光される。露光された感光ドラム５２の表面には、所定の画像データに基づく静電潜像が形成される。
【００３２】
次いで、現像ローラ５５上に担持されかつ正帯電されているトナーが、感光体ドラム５２の表面上に形成される静電潜像に供給される。
【００３３】
感光体ドラム５２の表面上に担持され、供給されたトナーによって可視像化された静電潜像（トナー画像）は、ＩＣペーパＷが感光体ドラム５２と転写ローラ５４との間を通る間にＩＣペーパＷに転写される。トナー画像を転写されたＩＣペーパＷは、感光体ドラム５２と転写ローラ５４の回転により、定着ユニット４２へ搬送される。
【００３４】
定着ユニット４２は、プロセスユニット４１よりも用紙搬送方向下流側に配設される。定着ユニット４２は、転写されたＩＣペーパＷ上のトナーを加熱溶融させるための加熱ローラ４３と、ＩＣペーパＷを加熱ローラ４３に向けて押圧する押圧ローラ４４とを備えている。
【００３５】
定着ユニット４２は、プロセスユニット４１においてＩＣペーパＷ上に形成されたトナー画像を、ＩＣペーパＷが加熱ローラ４３と押圧ローラ４４との間を通過する間に加熱および加圧することにより定着させる。
【００３６】
トナー画像を定着されたＩＣペーパＷは、ガイド部材４５，４６により形成される排紙パスを介して、排出ローラ４７まで搬送される。そして、排出ローラ４７は、送られてきたＩＣペーパＷを排紙トレイ２ａ上に排紙する。
【００３７】
以上のように、給紙カセット９に積載されたＩＣペーパＷは、搬送経路Ｌを介し、給紙部２１から画像形成部２２へ搬送されて画像を形成され、画像形成部２２から排紙トレイへ排出される。
【００３８】
（画像読取ユニット３の構成）
次に、画像読取ユニット３の構成について、図１〜図４を参照しながら説明する。図４は、画像読取ユニット３をプリンタ１の前面及び背面（後面）に平行な面で分断した概略断面図である。
【００３９】
図１、図２に示すように、画像読取ユニット３は、画像形成ユニット２の上面に矩形状の原稿台４ａが設けられたフラットベッド型読取装置（以下、「ＦＢ」と称す）４と、ＦＢ４の上部に配される自動原稿搬送装置（以下「ＡＤＦ」と称す）５とを備えている。図３に示すように、画像読取ユニット３は、画像形成ユニット２の排紙トレイ２ａの上方において、その下面４ｂが当該排紙トレイ２ａと対向し、排紙トレイ２ａを覆うように配されている。
【００４０】
（ＦＢ４の構成）
ＦＢ４（本発明の「画像読取手段」の一例）は、フラットベッド方式のスキャナとして構成されており、原稿台４a及び密着型イメージセンサ１２を備えている。図２に示すよ
うに、ＦＢ４は、画像形成ユニット２の上面後端部に対し、開放可能に軸支されている。ＦＢ４が後方に開放されると、原稿台４ａが露出するようになっており（図２参照）、原稿台４ａ上に本やその他の各種原稿を載置した状態で、コピー等の読取りができるように構成されている。
【００４１】
図４に示すように、密着型イメージセンサ１２は、受光部（光電変換素子）１０、セルフォックレンズ２４及び光源２６を備えている。密着型イメージセンサ１２は、原稿に対
して光源２６から光を照射し、原稿からの反射光をセルフォックレンズ２４によって受光部１０に結像することで原稿の画情報を読取るように構成されている。密着型イメージセンサ１２は、プリンタ１の前後方向と垂直でかつ水平方向に延びる軸７９に沿って、図示しない駆動機構により駆動される。
【００４２】
（ＡＤＦ５の構成）
図１及び図４に示すように、ＡＤＦ５（本発明の「画像読取手段」の一例）は、ＦＢ４の上面に設けられており、原稿載置台１６、原稿搬送機構１８、及び原稿排紙トレイ２０を備えている。
【００４３】
原稿載置台１６は、任意の枚数の原稿を載置可能に構成されている。尚、原稿を載置する向きは、横向き又は縦向きいずれの向きであってもよい。
【００４４】
原稿搬送機構１８は、原稿載置台１６に載置された原稿を１枚ずつ給紙し、給紙された原稿を原稿の画情報が読取られる読取位置１４へ搬送し、画情報を読取られた原稿を原稿排紙トレイ２０へ排出する。
【００４５】
原稿排紙トレイ２０は、ＦＢ４の上面を兼ねており、原稿搬送機構１８から排出された原稿を順次積載する。
【００４６】
以上、ＦＢ４及びＡＤＦ５の２つの読取装置のうちいずれかにセットされた原稿に対し、プリンタ１の操作部６やＰＣ６０の操作部６１を介して読取開始要求がなされる。そして、ＦＢ４の原稿台４ａ上に原稿を載置して読取りが行われる場合には、密着型イメージセンサ１２が軸７９に沿って、かつ、原稿台４ａに沿って移動され、密着型イメージセンサ１２によって１ラインずつ原稿の読取りが行われる。
【００４７】
一方、ＡＤＦ５を利用して原稿の読取りが行われる場合には、密着型イメージセンサ１２が読取位置１４で保持されて、密着型イメージセンサ１２によってＡＤＦ５により搬送される原稿の読取りが１ラインずつ行われる。
【００４８】
[印刷システムの電気的構成]
図６は、印刷システムの電気的構成を示すブロック図である。図６に示すように、プリンタ１は、ケーブル６９を介してパーソナルコンピュータ（以下、「ＰＣ」と称す）６０と接続されている。プリンタ１は、ＰＣ６０から送信される印刷データを受信すると、受信した印刷データに基づき印刷処理を行う。尚、プリンタ１とＰＣ６０とは、ＬＡＮなどのネットワークを介して接続されていてもよい。
【００４９】
（ＰＣ６０の電気的構成）
ＰＣ６０は、外部（例えばキーボードやマウス等の入力手段）からの入力操作を受け付ける操作部６１と、画像等を表示するディスプレイ等の表示部６２と、ＲＯＭ６３と、ＲＡＭ６４と、ＣＰＵ６５と、ハードディスク６６（ＨＤＤ）と、ＬＡＮインタフェース６７と、プリンタポートインタフェース６８とを備えている。操作部６１の操作により、プリンタポートインタフェース６８を介して印刷データ等の情報の送受信を行うことができる。
【００５０】
表示部６２には、アプリケーションソフトを介して作成した画像や画像の印刷を行うための設定画面等が表示される。
【００５１】
ハードディスク６６には、印刷すべき画像を作成するためのアプリケーションソフト、印刷を行うプリンタ１のプリンタドライバ、印刷画像と重ねて透過印刷されるウォータマ
ーク等が記憶されている。
【００５２】
ＣＰＵ６５は、操作部６１からの指令に基づき、アプリケーションソフトやプリンタドライバ等をハードディスク６６から読み出して動作させる。
【００５３】
そして、ユーザの入力操作によって操作部６１から印刷指令をＣＰＵ６５が受けると、印刷に必要な様々な情報が印刷ジョブの先頭や各ページの先頭に付加されたり、ハードディスク６６に記憶されたウォータマークが画像データに合成されたりする。情報を付加されたりウォータマークを合成されたりした画像データは、印刷データとしてプリンタポートインタフェース６８を介して送信される。
【００５４】
（プリンタ１の電気的構成）
プリンタ１は、各種の入力操作を受け付ける操作部７１と、各種設定の表示を行う表示部７２と、ＩＣペーパＷに埋め込まれたＩＣタグ８０に対し情報の読み書きを行うＩＣタグリーダ／ライタ８１と、ＩＣペーパＷに画像を形成（印刷）する画像形成部２２と、原稿の画情報を読取る画像読取ユニット３とを備えている。また、プリンタ１は、ＬＡＮインタフェース７３と、ＲＯＭ７４と、ＲＡＭ７５と、不揮発性メモリ７６と、ハードディスクドライブ７７と、ＣＰＵ７８（本発明の「取得手段」の一例）と、プリンタポートインタフェース７１（本発明の「受信手段」の一例）とを備えている。プリンタポートインタフェース７１は、ケーブル６９を介してＰＣ６０等に接続される。
【００５５】
ＣＰＵ７８は、ＲＯＭ７４に記憶されるプログラムに従って各種処理を行う。ＣＰＵ７８は、プリンタポートインタフェース７１を介してＰＣ６０から受信した印刷データを画像形成部２２へ送る。また、ＣＰＵ７８は、画像読取ユニット３によって読取られた原稿の画情報を印刷データとして画像形成部２２へ送る。画像形成部２２は、設定されている印刷設定やＰＣ６０から受信した印刷データに付加された情報を元に、印刷データに応じた画像をＩＣペーパＷに印刷する印刷動作を実行する。
【００５６】
[制御内容]
次に、プリンタ１による制御内容について説明する。図７は、プリンタ１におけるメイン処理の流れを示すフローチャートである。尚、この処理は、ＣＰＵ７８によって制御される。
【００５７】
（メイン処理）
図７に示すように、メイン処理が開始されると、ＰＣ６０から印刷データを受信したか否か判定される（Ｓ１）。印刷データを受信したと判定されると（Ｓ１：ＹＥＳ）、印刷データに機密情報が含まれるか否かが判定される（Ｓ３）。
【００５８】
尚、ユーザがＰＣ６０の操作部６１を操作することによって設定されたパスワードに関する情報、画像データに合成された「社外秘」「複写禁止」等のウォータマークに関する情報、印刷データが機密情報を含む旨の情報等が印刷ジョブの先頭や印刷データの各ページ先頭に付加されているか否かが判断されることにより、機密情報が含まれるかの判定がなされる。
【００５９】
そのため、Ｓ３における判定処理では、印刷データに機密情報が含まれるか否かが分かる。
【００６０】
印刷データに機密情報が含まれていないと判定されると（Ｓ３：ＮＯ）、印刷データに基づく画像をＩＣペーパＷに印刷する処理が行われ（Ｓ５）、印刷処理された印刷データが最終ページであるか否かが判定される（Ｓ７）。
【００６１】
一方、印刷データに機密情報が含まれていると判定されると（Ｓ３：ＹＥＳ）、ＩＣタグリーダ／ライタ８１によりＩＣペーパＷのＩＣタグ８０に区別情報が書込まれ（Ｓ１０）。ＩＣタグ書込処理の実行後、印刷処理が行われ（Ｓ５）、印刷処理された印刷データが最終ページであるか否かが判定される（Ｓ７）。
【００６２】
そして、印刷処理された印刷データが最終ページでないと判定されると（Ｓ７：ＮＯ）、Ｓ３の判定処理に戻り、印刷処理された印刷データが最終ページであると判定されると（Ｓ７：ＹＥＳ）、本処理が終了する。
【００６３】
[本実施形態の効果]
以上のように本実施形態によれば、ＩＣタグ８０を有するＩＣペーパＷを利用し、ＩＣペーパＷに印刷される画像内容に基づいて、ＩＣペーパＷを機密性の有無で区別するための情報を書込むことができる。
【００６４】
したがって、ＩＣタグ８０に書込まれた情報を読取るＩＣリーダと、ＩＣリーダによって区別情報が読取られたか否かでＩＣペーパＷを分別する分別機構とを備えた分別機を用いれば、機密画像を印刷されたＩＣペーパＷと機密画像を印刷されていないＩＣペーパＷとを分別することができる。
【００６５】
＜第２実施形態＞
次に本発明の第２実施形態について図８を参照して説明する。図８は、本実施形態の読取処理の流れを示すフローチャートである。
【００６６】
上述の実施形態では、ＰＣ６０から受信した印刷データに付加された機密情報に基づき、機密画像が印刷されるＩＣペーパＷに区別情報が書込まれたが、本実施形態は、画像読取ユニット３によって読取られた画情報に基づき、機密情報が印刷されるＩＣペーパＷに区別情報が書込まれるようにしたものである。
【００６７】
なお、第１実施形態と同様の構成部分には同じ符号を付し、説明を省略する。
【００６８】
図８に示すように、読取処理が開始されると、ＦＢ４及びＡＤＦ５のうちいずれかにセットされた原稿（図示せず）に対し、プリンタ１の操作部６やＰＣ６０の操作部６１を介して読取開始要求がなされたか否かが判定される（Ｓ１０１）。読取開始要求がなされたと判定されると（Ｓ１０１：ＹＥＳ）、ＦＢ４またはＡＤＦ５により原稿の画情報が読取られ（Ｓ１０３）、読取られた画情報から機密情報を取得したか否かが判定される（Ｓ１０５）。
【００６９】
尚、読取られた画情報（画像データ）から機密情報を取得したか否かは、例えば、この画像データに対してＯＣＲ処理を行うことにより、抽出された文字中に機密情報に対応するキーワードが含まれていたか否かで判定できる。
【００７０】
ＯＣＲ（Optical Character Recognition）処理とは、周知の光学文字認識技術を用い
た処理であり、画像データと、プリンタ１のＲＯＭ７４に予め記憶されたパターンとの照合により、画像データに含まれる文字（文字コード）が抽出される。ここで、ＲＯＭ７４には、画像データが機密情報を含んでいるか否かを判定するための要件として、機密情報に対応するキーワードが記憶されている。具体的には、例えば、ウォータマークに対応する「社外秘」「複写禁止」等のキーワード、「○○様」「０９０−△△△△−××××」のように個人情報に対応するキーワード等が記憶されている。
【００７１】
尚、ＯＣＲ処理以外にも、原稿に透かしが入っているか否かを光学的に検出したりして、読取られた画像データが機密情報を含んでいるか否かを判定するなど、他の判定方法を用いてもよい。
【００７２】
読取られた画像データから機密情報が取得されたと判定された場合（Ｓ１０５：ＹＥＳ）、画像データが機密情報を含むことが分かる情報が画像データに付加され（Ｓ１０７）、印刷データとして画像形成部２２へ送信される（Ｓ１０９）。一方、読取られた画像データから機密情報が取得されなかったと判定された場合（Ｓ１０５：ＮＯ）、読取られた画像データは、そのまま印刷データとして画像形成部２２へ送信される（Ｓ１０９）。
そして、次の原稿が有る場合（Ｓ１１１：ＮＯ）、Ｓ１０３の読取処理に戻り、次の原稿が無い場合（Ｓ１１１：ＹＥＳ）、本処理が終了する。
尚、Ｓ１０９にて画像形成部２２へ送信された印刷データは、上記第１実施形態と同様に図７に示す処理を実行される。
【００７３】
[本実施形態の効果]
以上のように本実施形態によれば、ＩＣタグ８０を有するＩＣペーパＷを利用し、ＩＣペーパＷに印刷される画像内容に基づいて、ＩＣペーパＷを機密性の有無で区別するための情報を書込むことができる。
【００７４】
したがって、ＩＣタグ８０に書込まれた情報を読取るＩＣリーダと、ＩＣリーダによって区別情報が読取られたか否かでＩＣペーパＷを分別する分別機構とを備えた分別機を用いれば、機密画像を印刷されたＩＣペーパＷと機密画像を印刷されていないＩＣペーパＷとを分別することができる。
【００７５】
＜第３実施形態＞
次に本発明の第３実施形態について図９及び図１０を参照して説明する。図９は、本実施形態の画像読取ユニット３をプリンタ１の前面及び背面（後面）に平行な面で分断した概略断面図である。図１０は、本実施形態のメイン処理の流れを示すフローチャートである。
【００７６】
本実施形態は、ＩＣタグ８０を埋め込まれた原稿Ｗ’（本発明の「被記録媒体」の一例）を画像読取ユニット３によって読取ることにより、機密情報が印刷されている原稿Ｗ’に区別情報を書込むようにしたものである。
【００７７】
なお、上述した実施形態と同様の構成部分には同じ符号を付し、説明を省略する。
【００７８】
（画像読取ユニット３の構成）
図９に示すように、本実施形態の画像読取ユニット３は、ＡＤＦ５の原稿搬送機構１８の原稿Ｗ’が搬送される搬送経路Ｌ’において、原稿搬送方向下流部に設けられ、かつ原稿Ｗ’を原稿排紙トレイ２０に排出する原稿排出ローラ１９付近の搬送経路Ｌ’にＩＣタグリーダ／ライタ８１を備えている。また、ＩＣタグリーダ／ライタ８１の位置は、原稿Ｗ’が載置されるＦＢ４の原稿台４aの真上の位置でもある。そして、ＩＣタグリーダ／
ライタ８１は、ＦＢ４の原稿台４aに載置された原稿Ｗ’またはＡＤＦ５の搬送経路Ｌ’
を搬送される原稿Ｗ’のＩＣタグ８０と通信可能に電波の通信可能領域が設定されており、ＩＣタグ８０の情報を読み込んだりＩＣタグ８０に情報を書込んだりする。
【００７９】
（メイン処理）
図１０に示すように、本実施形態は、画像読取ユニット３によって読取られた原稿Ｗ’のうち機密情報を含む原稿Ｗ’に対し、ＩＣタグ書込処理を行うものであるので、印刷処理は伴わない。Ｓ１０５の読取られた画像データから機密情報を取得したか否かが判定さ
れるステップまでは図８に示す第２実施形態の読取処理と同様の処理が行われる。
読取られた画像データから機密情報を取得したと判定される場合（Ｓ１０５：ＹＥＳ）、画像読取ユニット３に設けられたＩＣタグリーダ／ライタ８１（図９参照）により、ＦＢ４に載置される原稿Ｗ’またはＡＤＦの搬送経路Ｌ’を搬送される原稿Ｗ’のＩＣタグ８０に区別情報が書込まれる（Ｓ１０）。
【００８０】
[本実施形態の効果]
以上のように本実施形態によれば、ＩＣタグ８０を有する原稿Ｗ’に印刷された画像内容に基づいて、原稿Ｗ’を機密性の有無で区別するための情報を書込むことができる。
【００８１】
したがって、ＩＣタグ８０に書込まれた情報を読取るＩＣリーダと、ＩＣリーダによって区別情報が読取られたか否かで原稿Ｗ’を分別する分別機構とを備えた分別機を用いれば、機密画像を印刷された原稿Ｗ’と機密画像を印刷されていない原稿Ｗ’とを分別することができる。
【００８２】
＜他の実施形態＞
本発明は上記記述及び図面によって説明した実施形態に限定されるものではなく、例えば次のような実施形態も本発明の技術的範囲に含まれる。
（１）上記第１実施形態及び第２実施形態では、ＩＣタグリーダ／ライタ８１をレジストローラ２９のＩＣペーパ搬送方向下流側であって、レジストローラ２９付近の搬送経路Ｌに設けたが、レジストローラ２９のＩＣペーパ搬送方向上流側、感光体ドラム５２と定着ユニット４２との間、或いは定着ユニット４２と排出ローラ４７との間等、任意の搬送経路Ｌに設ければよい。
（２）上記第１実施形態では、印刷ジョブや印刷データの各ページ先頭に機密情報が付加されているか否かで機密画像が印刷されるページを判定していたが、１ページ毎に印刷データの内容を解析し、解析された印刷データに機密情報に対応するキーワードが有るか否かで機密画像が印刷されるページを判定してもよい。
（３）上記第１実施形態では、ＰＣ６０側で画像データとウォータマークが合成されてプリンタ１に印刷データが送信されるが、プリンタ１側で画像データとウォータマークが合成される場合、印刷ジョブや印刷データの各ページ先頭に機密情報が付加されているか否かを判定するとともに、ウォータマークを合成するか否かを判定して機密画像であるか否かを判定してもよい。
【００８３】
また、上記第２実施形態においても、画像読取ユニット３によって読取られた画像データにウォータマークが合成される場合、ＯＣＲ処理で機密情報に対応するキーワードが画像に含まれているか判定するとともに、ウォータマークを合成するか否かを判定して機密画像であるか否かを判定してもよい。
（４）ＰＣ６０の操作部６１やプリンタ１の操作部６を介して複数部の印刷要求がなされてもよい。
（５）ＩＣタグリーダ／ライタ８１によってＩＣタグ８０に書込まれる区別情報として、シュレッダ行きの用紙である情報が書込まれてもよい。この場合、機密画像を有するＩＣペーパＷまたは原稿Ｗ’がより早くシュレッダによって細断される可能性が高くなり、機密性を一層向上させることができる。また、ＩＣペーパＷまたは原稿Ｗ’の種類によって厚さが異なり、シュレッダで細断できる種類と細断できない種類が出てくる可能性があるので、ＩＣペーパＷまたは原稿Ｗ’の種類に基づく用紙の厚さ情報が区別情報とともに書込まれてもよい。
（６）上記実施形態のうち、複数の実施形態を組み合わせてもよい。
【図面の簡単な説明】
【００８４】
【図１】プリンタ１の外観を示す斜視図
【図２】画像読取ユニット３を開放した状態のプリンタ１の外観を示す斜視図
【図３】プリンタ１を給紙ローラ２５の軸方向から見た側断面図
【図４】画像読取ユニット３をプリンタ１の前面及び背面（後面）に平行な面で分断した概略断面図
【図５】ＩＣタグ８０を埋め込まれたＩＣペーパＷの概略図
【図６】印刷システムの電気的構成を示すブロック図
【図７】プリンタ１におけるメイン処理の流れを示すフローチャート
【図８】第２実施形態の読取処理の流れを示すフローチャート
【図９】第３実施形態の画像読取ユニット３をプリンタ１の前面及び後面に平行な面で分断した概略断面図
【図１０】第３実施形態のメイン処理の流れを示すフローチャート
【符号の説明】
【００８５】
１      プリンタ（画像処理装置）
３      画像読取ユニット（情報書込装置）
４      ＦＢ（画像読取手段）
５      ＡＤＦ（画像読取手段）
６      操作部
９      給紙カセット
２２    画像形成部（印刷手段）
６０    ＰＣ
６１    操作部
７１    プリンタポートインタフェース（受信手段）
７８    ＣＰＵ（取得手段）
８０    ＩＣタグ
８１    ＩＣタグリーダ／ライタ（書込手段）
１００  印刷システム
Ｌ      搬送経路
Ｗ      ＩＣペーパ（被記録媒体）
Ｗ’    原稿（被記録媒体）
【図１】
2008219325.tif 000003
【図２】
2008219325.tif 000004
【図３】
2008219325.tif 000005
【図４】
2008219325.tif 000006
【図５】
2008219325.tif 000007
【図６】
2008219325.tif 000008
【図７】
2008219325.tif 000009
【図８】
2008219325.tif 000010
【図９】
2008219325.tif 000011
【図１０】
2008219325.tif 000012